(57)【要約】      （修正有）【課題】測定本体部を基台に対してロックした状態で測定本体部や基台に過度な衝撃が加わっても、ジョイスティック下面などの摺動面やその摺動面が使用時に接する基台の上面が損傷しない眼科装置を提供する。【解決手段】測定本体部を基台に対してロックする際、ロック用ノブ１１７を下方に下げてロック用シャフト１１８が下がる際、カム１１９をカム軸１２１を中心に回転させて、カム軸１２１からカム１１９の先端までの距離を、アンロック時におけるカム軸１２１から本体移動部の上面１３０までの距離より大きくすることにより、本体測定部の前方部を上方に持ち上げ、ジョイスティック１０６の下方の摺動面１２８を基台上にある摺動用板１２９の上面から離れた位置に退避させる構成とする。【選択図】図２
2014210006.tif 000002
【特許請求の範囲】
【請求項１】
被検眼の検査等を行うための光学系収納部が搭載され、基台上を水平方向に移動可能な測定本体部と、
前記基台に対して前記測定本体部をロックするためのロック機構と、を備える眼科装置において、
前記ロック機構は、前記測定本体部の一端又は一部を持ち上げて、移動用摺動面の一部又は全部が基台と接しない位置に退避する退避機構を備えたことを特徴とする眼科装置。
【請求項２】
前記退避機構による退避は、前記ロック機構によるロックと同時に又は連動して実施することを特徴とする請求項１に記載の眼科装置。
【発明の詳細な説明】
【技術分野】
【０００１】
本発明は、患者眼の検査等を行う眼科装置に関するものである。
【背景技術】
【０００２】
従来より眼科装置では、ジョイスティックなどを用いて装置の測定本体部を基台に対し前後左右に移動させて被検眼に対してアライメントを行う方法がなされている。このような装置には、装置を長時間使用しない場合や装置を移動させる場合、測定本体部が移動しないように測定本体部を基台にロックするロック機構が設けられているものがある。
【０００３】
例えば、測定本体部の下部にバネで保持され下方先端が外ネジに形成されたストッパーピンを備えたものである。この場合、ストッパーピンの上端に取り付けられたノブを下方に下げて、基台に設けた内部に内ネジを備えたナット部にストッパーピンの下方先端の外ネジを挿入し、ノブを回して螺合させることにより測定本体部を基台に対しロックする。  
【０００４】
また、特許文献１では、上述した方法は装置使用状態ではストッパーピンを上部に保持させるためのバネ用いた保持手段が必要であり、そのような構成は部品点数、及び組み立て調整工数の増加を招くと共に、ロック機構そのものにより装置自体が大型化されるとして、以下の構成が開示されている。  
【０００５】
すなわち、ロック用のストッパーピンを基台に備える構成にし、測定本体部をロックする場合は下方（基台）からストッパーピンを測定本体部に備えた貫通穴に挿入し、ストッパーピンを回転させてストッパーピン上部の外ネジと貫通穴に備えた内ネジを螺合することにより、測定本体部を基台に対してロックするというものである。このような構成にすることにより、バネなどを用いたストッパーピン保持手段が必要なくなり、部品点数、及び組み立て調整工数が低減されると共に、装置の小型化が図れるとしている。
【先行技術文献】
【特許文献】
【０００６】
【特許文献１】特開２００１−４６３３７号公報
【発明の開示】
【発明が解決しようとする課題】
【０００７】
しかし、上記に開示されたいずれの方法も使用状態のまま、つまり、測定本体部に備えたジョイスティックなどの下面の球面状の摺動面と基台の上面が接した状態（使用状態）でロックされるものである。そのため、測定本体部がロック機構により基台に対してロックされていても、人や物の接触や移送中の過度な振動による衝撃により、ジョイスティック下面などの摺動面やこの摺動面が接している基台の上面が損傷する恐れがあった。摺動面は測定本体部を基台に対して水平移動して被検眼に対してアライメントを行う際、スムーズにアライメントを行うために備えられており、そのため、その摺動面や摺動面が接している基台の上面が損傷し、キズが付いたり、一部が欠けたり、変形するなどした場合、アライメント操作が困難になったり、最悪の場合、アライメント操作ができなくなり、その結果、被検眼の検査や測定などができなくなるという問題があった。
【課題を解決するための手段】
【０００８】
本発明は、測定本体部を基台にロックするロック機構に、測定本体部の一部又は一端を押し上げてジョイスティック下面などの摺動面が基台と接しない位置に退避させる退避機構を備えたものである。
【０００９】
このため、ロックした状態で測定本体部や基台に過度な衝撃が加わっても、ジョイスティックなどの下面の摺動面やその摺動面が使用時に接する基台の上面が損傷しないようにしたことを特徴とする。
【００１０】
さらに、退避機構は測定本体部を基台にロックすると同時に又は連動して実施されるような構成にした。
【００１１】
そのため、測定本体部を基台にロックする場合、確実に測定本体部のジョイスティック下面などの摺動面が基台上面から離れ、本発明の効果が得ることができるのである。
また、ロック機構の内部に退避機構を備えて一部の部品の共有することにより、ロック機構の小型化が図れるため、装置を大型化することなく本発明のロック機構が搭載可能になる。
【発明の効果】
【００１２】
本発明によれば、測定本体部を基台にロックするロック機構に、測定本体部の一端又は一部を押し上げてジョイスティック下面などの摺動面が基台と接しない位置に退避させる退避機構を備えることにより、過度な衝撃が加わった場合でも摺動面や摺動面が接する基台の上面が損傷しないようにした新規なロック機構を備えた眼科装置を提供できる。
【図面の簡単な説明】
【００１３】
【図１】本発明の眼科装置の側部断面図（測定本体部アンロック時）である。
【図２】図１の中の本発明に係るロック機構の詳細図（測定本体部アンロック時）である。
【図３】本発明の眼科装置の側部断面図（測定本体部ロック時）である。
【図４】図３の中の本発明に係るロック機構の詳細図（測定本体部の一端の持ち上げ時）である。
【図５】図３の中の本発明に係るロック機構の詳細図（測定本体部ロック時）である。
【図６】ロック機構の詳細図（斜視投影図）
【図７】ロック機構の動作説明図（アンロック状態）
【図８】ロック機構の動作説明図（測定本体部の一端を持ち上げる）
【図９】ロック機構の動作説明図（測定本体部の一端を持ち上げてロックする）
【発明を実施するための形態】
【実施例】
【００１４】
以下、本発明の実施形態を図面に基づいて説明する。  図１は使用状態（アンロック時）における本発明の実施形態の眼科装置の側部断面図である。測定本体部１００は、他覚眼屈折力測定装置や眼圧測定装置等の患者眼の検査、観察、測定などを行う光学器械の光学系が収められた光学測定部１０１、患者眼の画像や測定結果等を表示するモニター１０２、光学測定部１０１の中の駆動系の制御やモニター１０２に表示する画像の制御を行うための制御回路が収められた制御部１０３及びそれら全体を樹脂等で作られたカバー１０４で覆われた測定部１５０と測定部１５０を上下移動させると共に（測定部１５０を含む）測定本体部１００を水平に移動する移動機構を備えた本体移動部１６０とからなる。  
【００１５】
測定本体部１００の下には基台１７０があり、本体移動部１６０により、測定本体部１００を基台１７０上で水平方向に移動可能となっている。  
【００１６】
架台１０５は、光学測定部１０１、モニター１０２、制御部１０３を含む測定部１５０を上下に移動するために備えられ、ジョイスティック１０６にあるノブ１０７を回転させると、ジョイスティック１０６の下部にあるプーリー１０８が回転し、その回転がベルト１０９により装置奥にあるプーリー１１０に伝わり、プーリー１１０が回転すると共に、駆動軸１１１も回転する。架台１０５の軸受け部１１２と駆動軸１１１の上部はそれぞれ内ネジ、外ネジで螺合されているため、駆動軸１１１の回転により、架台１０５は上下に移動する。つまり、ジョイスティック１０６にあるノブ１０７を回転させると、測定部１５０が上下に移動するようになっている。
【００１７】
また、架台１０５は架台フレーム（図示しない）に支えられ、バネ用ガイド軸１１３に通した架台用バネ１１４により上方に付勢力を与え、架台１０５の上下移動をスムーズに移動可能としている。
【００１８】
架台１０５及び架台フレームの下部には測定本体部１００が基台１７０上でＸ方向（左右方向）に移動するためのＸ軸スライド１１５が、基台１７０内には測定本体部１００が基台１７０上でＹ方向（前後方向）に移動するためのＹ軸スライド１１６が備えられ、Ｘ軸スライド１１５及びＹ軸スライド１１６により、測定本体部１００が前後左右に移動可能になるのである。
【００１９】
検者は本体移動部１６０の前方に備えたジョイスティック１０６で測定本体部１００を基台１７０に対して前後左右に移動し、さらに、ジョイスティック１０６にあるノブ１０７を回転させて測定部１５０を上下に移動して、患者眼に対して観察や測定、検査のためのアライメントを行う。
【００２０】
そして、本体移動部１６０には、測定本体部１００を基台１７０に対してロックするロック機構１８０が測定部１５０とジョイスティック１０６の間に配置されている。本実施例では、ロック機構１８０は測定部１５０とジョイスティック１０６の間に配置されているが、この位置に限るわけではなく、ジョイスティック１０６に対して左右位置でも構わないし、ジョイスティック１０６の前方でもよい。つまり、Ｘ軸スライド１１５及びＹ軸スライド１１６の前方（ジョイスティック１０６の方向）であればどこに配置しても構わない。
【００２１】
ロック機構１８０の構成を図２、図６及び図７を基に説明する。図２、図６及び図７はいずれもロック機構のアンロック状態時の図であり、図２は図１の中のジョイスティック１０６の周辺部からロック機構１８０までの部分を拡大した図である。ロック機構１８０は、本体移動部１６０と基台１７０に分かれて構成され、本体移動部１６０には、ロック用ノブ１１７、ロック用シャフト１１８、カム１１９、カム用バネ１２０、カム軸１２１、カム押さえピン１２２、ロックピン１２３及びロック用シャフト１１８のガイドとロックピン１２３をアンロック時（測定操作時）に上方への移動を制限するためのガイド板１２４を備え、基台１７０には、ロック用シャフト１１８が通る貫通穴１２５とロック時にロックピン１２３が収まる開口部１２６を備えている。
【００２２】
図２において、カム１１９はカム軸１２１を中心に回転可能になっており、同じカム軸１２１に挿入されたカム用バネ１２０にて、左回転方向に付勢力が与えられ、カム１１９の突出部１２７によりロック用シャフト１１８のカム押さえピン１２２に対し、上方に付勢力が与えられている。このため、アンロック状態では、ロック用シャフト１１８は上方に付勢力が与えられ、ロック用シャフト１１８の下方にあるロックピン１２３がガイド板１２４に当たって、ロック用シャフト１１８の上方への移動を制限している。（図６参照）
【００２３】
この場合、図２に示すように、カム軸１２１からカム１１９の下方先端の距離がカム軸１２１から基台１７０の上面１３０の距離より短いため、カム１１９の下方先端は、基台１７０の上面１３０には接していない。また、アンロック状態ではロック用シャフト１１８の下方先端も基台１７０の上面１３０には接していないため、本体移動部１６０は基台１７０に対して移動可能な状態になる。この時、ジョイスティック１０６の下方にある球面状の摺動面１２８と基台１７０の上面１３０上にある摺動用板１２９の上面は接しており、摺動面１２８と摺動用板１２９上面の点と面の関係により、ジョイスティック１０６を用いて、スムーズに測定本体部１００を基台１７０に対し、水平方向（前後左右方向）に移動可能になるのである。本実施例では、ジョイスティック１０６の下方の摺動面１２８が接する上面１３０上にポリアセテール等の樹脂でできた摺動用板１２９を備えているが、摺動用板１２９はあくまでもジョイスティック１０６の操作性を良くするために用いているのであって、摺動用板１２９を用いずに直接基台１７０の上面１３０にジョイスティック１０６の下方の摺動面１２８を接する構成であっても構わない。
【００２４】
図６、図７は、本体移動部１６０にあるロック機構１８０のアンロック時における上記で説明した構成を詳細に示した、斜視投影図及び斜視図である。各構成部品の形状及び配置を示し、上記で説明したアンロック時におけるロック機構１８０の状態が把握され得る。
【００２５】
次に、本実施形態におけるロック機構１８０のロック方法について、図４及び図５を基に説明する。図４及び図５はジョイスティック１０６の周辺部からロック機構１０８までの部分を拡大した図である。図４は、ロック用ノブ１１７を下方に下げた時の、そして、図５はその後、ロック用ノブ１１７を回転して測定本体部１００を基台１７０に対しロックした時の図である。
【００２６】
測定本体部１００を基台１７０に対しロックする場合、まず検者は、ジョイスティック１０６を操作して、ロック用シャフト１１８の位置と基台１７０の（ロック用シャフト１１８用の）貫通穴１２５の位置を合わせる。本実施例の場合、本体移動部１６０と基台１７０がほぼ同じ位置にすることにより、ロック用シャフト１１８の位置と基台１７０の貫通穴１２５の位置が合うようになっているので、ジョイスティック１０６を操作して本体移動部１６０と基台１７０を合わせるようにする。
【００２７】
ロック用シャフト１１８の位置と基台１７０の貫通穴１２５の位置を合したら、検者はロック用ノブ１１７を下方に下げる。この時、ロック用シャフト１１８が下がり、カム押さえピン１２２によりカム１１９の突出部１２７が下方に移動する。このため、カム１１９はカム軸１２１を中心に右回転する。すると、ロック用シャフト１１８の先端及びロックピン１２３は基台１７０の貫通穴１２５に挿入され、カム１１９の先端は本体移動部１６０の上面１３０に接する。このとき、カム軸１２１からカム１１９の先端の距離が、アンロック時におけるカム軸１２１から本体移動部１６０の上面１３０までの距離より大きくなり、これにより、本体移動部１６０（本体測定部１００）は上方に上がり、図４及び図５に示すように、ジョイスティック１０６の下方の摺動面１２８も上がり、基台１７０上にある摺動用板１２９の上面から離れた位置になる。つまり、ジョイスティック１０６の下方の摺動面１２８が基台１７０上にある摺動用板１２９の上面から退避した位置に退避する。
【００２８】
この状態で、検者がロック用ノブ１１７を回転させるとロック用シャフト１１８の下方にあるロックピン１２３も回転し、基台１７０にある開口部１２６にロックピン１２３が嵌り、図５に示すようにロックピン１２３が基台１７０の上面板の下面に制限され、これにより、本体測定部１００は基台１７０に対してロックされる。ロックピン１２３にはカム用バネ１２０からの上方への付勢力が常に与えられているため、基台１７０に対する本体測定部１００のロックは強固になり、ロック状態が安定すると共に、カム１１９により、ジョイスティック１０６の下方の摺動面１２８が基台１７０上にある摺動用板１２９の上面から離れた状態（退避した状態）になるのである。
【００２９】
図３はロック時における本発明の眼科装置の側部断面図である。この図からもわかるように、本発明のロック機構１８０により本体測定部１００をロックすることにより、本体測定部１００の前方部が上がり、それにより、ジョイスティック１０６の下方の摺動面１２８が基台１７０上にある摺動用板１２９の上面から離れた状態で本体測定部１００を基台１７０に対しロックできるのである。
【００３０】
図８、図９は、本体移動部１６０にあるロック機構１８０のロック時における上記で説明した構成を詳細に示した、斜視図である。各構成部品の形状及び配置を示し、上記で説明したロック用ノブ１１７を下方に下げた時（図８）の、そして、その後、ロック用ノブ１１７を回転して測定本体部１００を基台１７０に対しロックした時（図９）のロック機構１８０の状態が把握され得る。
【００３１】
本実施例では、上述の通り、ロック機構１８０により、測定本体部１００を基台１７０に対しロックした時に、測定本体部１００の前方が持ち上がり、これにより、ジョイスティック１０６の下方の摺動面１２８が基台１７０上にある摺動用板１２９の上面から離れる（退避する）。
【００３２】
測定本体部１００の前方の持ち上がりは、Ｘ軸スライド１１５及びＹ軸スライド１１６の位置を支点として実施される。これは、Ｘ軸スライド１１５及びＹ軸スライド１１６が、その動作がスムーズにするため、スライド部分にはある一定の隙間設けられている。この設けられた隙間を利用して、測定本体部１００の前方が持ち上がるのである。そのため、本実施例の構成ではロック機構１８０はＸ軸スライド１１５及びＹ軸スライド１１６の位置より前方（ジョイスティック１０６側）に配置されている。上述の通り、ロック機構の配置は、本実施例で説明したようなＸ軸スライド１１５及びＹ軸スライド１１６とジョイスティック１０６の間に限ったことではなく、Ｘ軸スライド１１５及びＹ軸スライド１１６の位置より前方であればよいのである。
【００３３】
また、本実施例ではカム１１９によるジョイスティック１０６の下方の摺動面１２８の退避はロック操作と連動して同時に実施しているが、勿論、別々に構成していてもよい。その場合は、退避機構によるジョイスティック１０６の下方の摺動面１２８の退避操作とロック操作は別々に実施することになる。
【００３４】
さらに、本実施例では退避機構にカム１１９を採用している。これは、測定本体部１００の前方を持ち上げる際の下方への力を少なくするために採用しているが、これについても、カムを用いた構成に限ったものではなく、ロック用シャフト１１８と同様なシャフトを退避用シャフトとしてロック用シャフト１１８と並べて配置し、ロック用ノブ１１７を下げたとき、同時に退避用シャフトも下がるような構成にすることも可能である。この場合、本実施例のようなカムを用いた構成に比べ、ロック用ノブ１１７を下げる時の力は大きくなる可能性がある。
【００３５】
その他、本実施例では、測定本体部１００を基台１７０にロックする際、ロックピン１２３を用いているが、当然これに限ったものではなく、特許文献１のように、ロックピン１２３の代わりにロック用シャフト１１８の下方先端部を外ネジに加工すると共に、基台１７０側の貫通穴１２５の代わりに内ネジを施して、ロック用ノブ１１７を回転させることにより、ロック用シャフト１１８の下方先端部の外ネジと基台１７０側の内ネジを螺合させてロックすることも可能である。この場合、ロック用ノブ１１７を何回も回転させる必要があり、ロック操作が面倒になる可能性がある。  
【００３６】
以上、本発明の実施形態について詳述してきたが、これらはあくまでも例示であって、本発明はかかる実施形態における具体的な記載によって、何等、限定的に解釈されるものでなく、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることが、理解されるべきである。  
【００３７】
以上のように、本実施形態によれば、ジョイスティックの下方の摺動面が、基台の上面から離れた（退避した）状態で本体測定部が基台に対してロックするため、ロック時に装置に過度な衝撃が加わった場合でも摺動面や摺動面が接する基台の上面が損傷しないようロック操作が実施可能になるのである。  
【符号の説明】
【００３８】
１００・・測定本体部１０６・・ジョイスティック１１７・・ロック用ノブ１１８・・ロック用シャフト１１９・・カム１２２・・カム押さえピン１２３・・ロックピン１２８・・ジョイスティックの下方の摺動面１２９・・摺動用板１３０・・本体移動部の上面１５０・・測定部１６０・・本体移動部１７０・・基台１８０・・ロック機構
【図１】
2014210006.tif 000003
【図２】
2014210006.tif 000004
【図３】
2014210006.tif 000005
【図４】
2014210006.tif 000006
【図５】
2014210006.tif 000007
【図６】
2014210006.tif 000008
【図７】
2014210006.tif 000009
【図８】
2014210006.tif 000010
【図９】
2014210006.tif 000011